(57)【特許請求の範囲】
【請求項１】
互いに対向する一対の端面と、一対の前記端面間を連結するように伸び且つ互いに対向する一対の主面と、一対の前記主面間を連結するように伸び且つ互いに対向する一対の側面とを有する、複数の誘電体層と複数の内部電極とが一対の前記主面の対向方向に積層された素体と、
前記素体の各前記端面側に配置されると共に対応する前記内部電極に接続された一対の外部電極と、を備え、
各前記外部電極は、各前記主面に位置する第１部分と、前記第１部分に連続し且つ各前記側面に位置する第２部分と、前記第１及び第２部分に連続し且つ各前記端面に位置する第３部分と、を有し、
各前記外部電極において、前記第１部分における一対の前記端面の対向方向での内側の先端と前記第３部分の外表面との間の第１寸法は、一方の前記主面に位置する前記第１部分の外表面と他方の前記主面に位置する前記第１部分の外表面との間の寸法よりも大きく、且つ、前記第２部分における一対の前記端面の対向方向での内側の先端と前記第３部分の外表面との間の第２寸法よりも大きく、
前記第１部分の前記先端を含む内縁は、一対の前記主面の対向方向から見て、湾曲形状であり、
前記第２部分の前記先端を含む内縁は、一対の前記側面の対向方向から見て、湾曲形状であることを特徴とする積層コンデンサ。
【請求項２】
前記第１寸法は、前記第３部分の外表面の間の寸法の１／４以上であることを特徴とする請求項１記載の積層コンデンサ。
【請求項３】
前記第１寸法は、２５０μｍ〜４２５μｍであることを特徴とする請求項１又は２記載の積層コンデンサ。
【請求項４】
一方の前記主面に最も近い位置に配置された前記内部電極と他方の前記主面に最も近い位置に配置された前記内部電極との間の第３寸法は、複数の前記内部電極のうち一方の前記主面に最も近い内部電極と一方の前記主面との間の第４寸法、及び、複数の前記内部電極のうち他方の前記主面に最も近い内部電極と他方の前記主面との間の第５寸法と略同等であることを特徴とする請求項１〜３のいずれか一項記載の積層コンデンサ。
【請求項５】
前記第４及び第５寸法は、前記第１部分の外表面の間の寸法の１／５以上であることを特徴とする請求項４記載の積層コンデンサ。
【請求項６】
前記第１部分の外表面の間の寸法は、前記第３部分の外表面の間の寸法、及び前記第２部分の外表面の間の寸法よりも小さいことを特徴とする請求項１〜５のいずれか一項記載の積層コンデンサ。
【請求項７】
前記第２部分は、一対の前記側面の対向方向から見て、複数の前記内部電極のうち前記第２部分とは異なる極性となる内部電極と対向しないことを特徴とする請求項１〜６のいずれか一項記載の積層コンデンサ。
【請求項８】
互いに対向する一対の端面と、一対の前記端面間を連結するように伸び且つ互いに対向する一対の主面と、一対の前記主面間を連結するように伸び且つ互いに対向する一対の側面とを有する、複数の誘電体層と複数の内部電極とが一対の前記主面の対向方向に積層された素体と、
前記素体の各前記端面側に配置されると共に対応する前記内部電極に接続された一対の外部電極と、を備え、
各前記外部電極は、各前記主面に位置する第１部分と、前記第１部分に連続し且つ各前記側面に位置する第２部分と、前記第１及び第２部分に連続し且つ各前記端面に位置する第３部分と、を有し、
各前記外部電極において、前記第１部分における一対の前記端面の対向方向での内側の先端と前記第３部分の外表面との間の第１寸法は、一方の前記主面に位置する前記第１部分の外表面と他方の前記主面に位置する前記第１部分の外表面との間の寸法よりも大きく、且つ、前記第２部分における一対の前記端面の対向方向での内側の先端と前記第３部分の外表面との間の第２寸法よりも大きく、
各前記主面上において対向する前記第１部分の前記先端の間の寸法は、前記第１部分の外表面の間の寸法以上であり、且つ、前記第２部分の外表面の間の寸法未満であることを特徴とする積層コンデンサ。
【発明の詳細な説明】
【技術分野】
【０００１】
本発明は、積層コンデンサに関する。
【背景技術】
【０００２】
従来の積層コンデンサとして、例えば特許文献１に記載されたものが知られている。例えば、特許文献１に記載のコンデンサは、誘電体層を介在させて複数の内部電極が積層された積層体と、積層体の両端面側に配置された外部電極とを備えている。この積層コンデンサでは、積層体の端面及び端面を連結する４つの側面に亘って外部電極が形成されている。
【先行技術文献】
【特許文献】
【０００３】
【特許文献１】特開２００２−２９８６４３号公報
【発明の概要】
【発明が解決しようとする課題】
【０００４】
ところで、近年では積層コンデンサの小型化が進んでおり、これに伴い積層コンデンサの強度を確保し難くなっているため、積層コンデンサのハンドリング時や実装時に割れや欠けなどといった構造欠陥が発生する懼れがあった。また、上記の積層コンデンサのように、外部電極が積層体の端面側を覆って配置されている構成では、内部電極の積層方向に直交する側面に配置された外部電極と内部電極との間に浮遊容量が発生し得る。積層コンデンサでは、この浮遊容量に起因して静電容量にばらつきが生じるため、浮遊容量の低減が要求されている。
【０００５】
本発明は、上記課題を解決するためになされたものであり、構造欠陥を抑制できると共に、静電容量のばらつきを低減できる積層コンデンサを提供することを目的とする。
【課題を解決するための手段】
【０００６】
上記課題を解決するために、本発明に係る積層コンデンサは、互いに対向する一対の端面と、一対の端面間を連結するように伸び且つ互いに対向する一対の主面と、一対の主面間を連結するように伸び且つ互いに対向する一対の側面とを有する、複数の誘電体層と複数の内部電極とが一対の主面の対向方向に積層された素体と、素体の各端面側に配置されると共に対応する内部電極に接続された一対の外部電極と、を備え、各外部電極は、各主面に位置する第１部分と、第１部分に連続し且つ各側面に位置する第２部分と、第１及び第２部分に連続し且つ各端面に位置する第３部分と、を有し、各外部電極において、第１部分における一対の端面の対向方向での内側の先端と第３部分の外表面との間の第１寸法は、第１部分の外表面の間の寸法よりも大きく、且つ、第２部分における一対の端面の対向方向での内側の先端と第３部分の外表面との間の第２寸法よりも大きいことを特徴とする。
【０００７】
この積層コンデンサでは、各外部電極において、第１部分における一対の端面の対向方向での内側の先端と第３部分の外表面との間の第１寸法は、第１部分の外表面の間の寸法よりも大きく、且つ、第２部分における一対の端面の対向方向での内側の先端と第３部分の外表面との間の第２寸法よりも大きい。そのため、各主面に位置する第１部分の面積が確保され、これにより、第１部分によって積層コンデンサの強度（剛性）を確保できる。したがって、積層コンデンサにおいて割れや欠けなどといった構造欠陥を抑制できる。一方で、第２部分の第２寸法を第１部分の第１寸法よりも小さくすることにより、一対の側面の対向方向から見て、第２部分と複数の内部電極とが対向する面積を小さくできる。これにより、外部電極の第２部分と内部電極との間で浮遊容量が発生することを抑制でき、その結果、積層コンデンサにおける静電容量のばらつきを低減できる。
【０００８】
第１寸法は、第３部分の外表面の間の寸法の１／４以上であることが好ましい。このように、第１寸法を第３部分の外表面の間の長さ寸法の１／４以上とすることにより、各主面に配置された第１部分の面積を良好に確保できる。これにより、積層コンデンサにおいて割れや欠けなどといった構造欠陥をより一層抑制できる。
【０００９】
第１寸法は、２５０μｍ〜４２５μｍであることが好ましい。このように、第１寸法を２５０μｍ以上とすることにより、第１部分の面積を良好に確保できるため割れや欠けなどといった構造欠陥を抑制できる。また、第１寸法を４２５μｍ以下とすることにより、主面上で対向して配置された第１部分の間で発生し得るショート不良を防止できる。
【００１０】
複数の内部電極の間の第３寸法は、複数の内部電極のうち一方の主面に最も近い内部電極と一方の主面との間の第４寸法、及び、複数の内部電極のうち他方の主面に最も近い内部電極と他方の主面との間の第５寸法と略同等であることが好ましい。このような構成によれば、第４及び第５寸法を比較的厚くしているため、積層コンデンサにおいて構造欠陥をより抑制できると共に、第１部分と内部電極との間において浮遊容量が発生することを抑制でき、静電容量のばらつきをより一層改善できる。
【００１１】
第４及び第５寸法は、第１部分の外表面の間の寸法の１／５以上であることが好ましい。このような構成によれば、第４及び第５寸法を比較的厚くしているため、積層コンデンサにおいて構造欠陥をより抑制できると共に、第１部分と内部電極との間において浮遊容量が発生することを抑制でき、静電容量のばらつきをより一層改善できる。
【００１２】
第１部分の外表面の間の寸法は、第３部分の外表面の間の寸法、及び第２部分の外表面の間の寸法よりも小さいことが好ましい。このように、高さ寸法が幅寸法及び長さ寸法よりも小さい構造、すなわち強度の乏しい低背型の構造には上記の構成が特に有効であり、低背型の積層コンデンサにおいて構造欠陥を抑制できる。
【００１３】
各主面上において対向する第１部分の先端の間の寸法は、第１部分の外表面の間の寸法以上であり、且つ、第２部分の外表面の間の寸法未満であることが好ましい。このような構成によれば、第１部分の面積が確保されるため、積層コンデンサにおける構造欠陥をより一層抑制できると共に、埋め込みなどの実装時において他の端子との電気的な接続を安定的に確保できる。
【００１４】
第２部分は、一対の側面の対向方向から見て、複数の内部電極のうち第２部分とは異なる極性となる内部電極と対向しないことが好ましい。このような構成によれば、第２部分と内部電極との間に発生する浮遊容量をより一層抑制でき、積層コンデンサにおける静電容量のばらつきをより一層低減できる。
【００１５】
第１部分の先端を含む内縁は、一対の主面の対向方向から見て、湾曲形状又は直線状であり、第２部分の先端を含む内縁は、一対の側面の対向方向から見て、湾曲形状又は直線状であることが好ましい。このような構成によれば、外部電極が主面及び側面を広く覆うため、第１部分及び第２部分の面積を良好に確保でき、積層コンデンサにおける構造欠陥をより一層抑制できる。
【発明の効果】
【００１６】
本発明によれば、構造欠陥を抑制できると共に、静電容量のばらつきを低減できる。
【図面の簡単な説明】
【００１７】
【図１】一実施形態に係る積層コンデンサを示す斜視図である。
【図２】図１に示す積層コンデンサを主面側から見た図である。
【図３】図１に示す積層コンデンサを側面側から見た図である。
【図４】図１におけるＩＶ−ＩＶ線に沿った断面構成を説明する図である。
【図５】図１に示す積層コンデンサの分解斜視図である。
【図６】他の形態に係る積層コンデンサを示す図である。
【発明を実施するための形態】
【００１８】
以下、添付図面を参照して、本発明の好適な実施形態について詳細に説明する。なお、図面の説明において同一又は相当要素には同一符号を付し、重複する説明は省略する。
【００１９】
図１は、一実施形態に係る積層コンデンサを示す斜視図である。図２は、図１に示す積層コンデンサを主面側から見た図である。図３は、図１に示す積層コンデンサを側面側から見た図である。図４は、図１に示す積層コンデンサの断面図である。図５は、図１に示す積層コンデンサの分解斜視図である。
【００２０】
図１〜図４に示すように、積層コンデンサ１は、複数の板状のセラミックグリーンシートを積層して一体化することによって略直方体形状に構成された素体２と、素体２の両端面側に形成された外部電極３，４とを備えて構成される。積層コンデンサ１は、例えば、長さが０．９５ｍｍ〜１．０５ｍｍ程度に設定され、幅が０．４５ｍｍ〜０．５５ｍｍ程度に設定され、高さが０．１０ｍｍ〜０．３３ｍｍ程度に設定されている。
【００２１】
素体２は、素体２の長手方向に向かい合って互いに平行をなす第１及び第２端面２ａ，２ｂと、第１及び第２端面２ａ，２ｂ間を連結するように伸び且つ互いに対向する一対の第１及び第２主面２ｃ，２ｄと、第１及び第２主面２ｃ，２ｄを連結するように伸び且つ互いに対向する一対の第１及び第２側面２ｅ，２ｆと、を有する。第１及び第２端面２ａ，２ｂ、第１及び第２主面２ｃ，２ｄ及び第１及び第２側面２ｅ，２ｆは、略長方形状を呈している。
【００２２】
素体２は、図５に示すように、複数の長方形板状の誘電体層６と、複数の内部電極７及び内部電極８とが積層された積層体として構成されている。内部電極７と内部電極８とは、素体２内において誘電体層６の積層方向、すなわち第１及び第２主面２ｃ，２ｄの対向方向に沿ってそれぞれ一層ずつ配置されている。内部電極７と内部電極８とは、少なくとも一層の誘電体層６を挟むように対向配置されている。実際の積層コンデンサ１では、複数の誘電体層６は、互いの間の境界が視認できない程度に一体化されている。
【００２３】
内部電極７，８は、例えばＮｉやＣｕなどの導電材を含んでいる。内部電極７，８の厚みは、例えば１μｍ〜５μｍ程度である。内部電極７，８は、積層方向から見て互いに重なり合う領域を有するような形状であれば、特に形状は限定されず、図５に示すように、例えば矩形状などの形状を呈している。内部電極７，８は、上記導電性材料を含む導電性ペーストの焼結体として構成される。内部電極７は外部電極３と電気的に接続されており、内部電極８は外部電極４と電気的に接続されている。
【００２４】
外部電極３は、第１端面２ａ及び第１端面２ａと直交する第１及び第２主面２ｃ，２ｄ、及び、第１及び第２側面２ｅ，２ｆの各縁部の一部を覆うように形成されている。すなわち、外部電極３は、第１端面２ａ、第１及び第２主面２ｃ，２ｄ、及び、第１及び第２側面２ｅ，２ｆに亘って配置されている。外部電極４は、第２端面２ｂ及び第２端面２ｂと直交する第１及び第２主面２ｃ，２ｄ、及び、第１及び第２側面２ｅ，２ｆの各縁部の一部を覆うように形成されている。すなわち、外部電極４は、第２端面２ｂ、第１及び第２主面２ｃ，２ｄ、及び、第１及び第２側面２ｅ，２ｆに亘って配置されている。
【００２５】
外部電極３，４は、素体２の外面にＣｕやＮｉ、あるいはＡｇ、Ｐｄ等を主成分とする導電性ペーストを例えば浸漬工法などによって付着させた後に所定温度（例えば、７００℃程度）にて焼き付け、更に電気メッキを施すことにより形成される。電気メッキには、Ｃｕ、Ｎｉ、Ｓｎ等を用いることができる。
【００２６】
外部電極３，４は、第１部分１０と、第２部分１２と、第３部分１４とを有している。第１部分１０は、素体２の第１及び第２主面２ｃ，２ｄのそれぞれに位置する部分である。第２部分１２は、第１部分１０に連続し、素体２の第１及び第２側面２ｅ，２ｆのそれぞれに位置する部分である。第３部分１４は、第１部分１０及び第２部分１２に連続し、素体２の第１又は第２端面２ａ，２ｂに位置する部分である。
【００２７】
続いて、積層電子部品１の構成について詳細に説明する。積層コンデンサ１において、第１部分１０，１０の外表面の間の高さ寸法（第１及び第２主面２ｃ，２ｄの対向方向における寸法）を「Ｔ」とし、第２部分１２，１２の外表面の間の幅寸法（第１及び第２側面２ｅ，２ｆの対向方向における寸法）を「Ｗ」とする。また、積層コンデンサ１において、第３部分１４，１４の外表面の間の長さ寸法（第１及び第２端面２ａ，２ｂの対向方向における寸法）を「Ｌ」とする。なお、高さ寸法Ｔは、第１部分１０，１０の厚みが最大となる位置にて規定されており、幅寸法Ｗは、第２部分１２，１２の厚みが最大となる位置にて規定されており、長さ寸法Ｌは、第３部分１４，１４の厚みが最大となる位置にて規定されている。
【００２８】
積層コンデンサ１では、高さ寸法Ｔ、幅寸法Ｗ及び長さ寸法Ｌが以下の関係を満たしている。
Ｔ＜Ｌ，Ｗ  …（１）
すなわち、積層コンデンサ１では、幅寸法Ｗ及び長さ寸法Ｌは、高さ寸法Ｔよりも大きい。つまり、積層コンデンサ１は、いわゆる低背型の構造を有している。なお、高さ寸法Ｔは、幅寸法Ｗの例えば３／４未満に設定されている。
【００２９】
また、図４に示すように、積層コンデンサ１の素体２において、最上部（第１主面２ｃに最も近い位置）に配置された内部電極７と、最下部（第２主面２ｄに最も近い位置）に配置された内部電極７との間の内層寸法（第３寸法）を「Ｔ２」とする。また、素体２において、素体２の第１主面２ｃを構成する誘電体層６の最上層（保護層）と、最上部に配置された内部電極７との間の外層寸法（第４寸法）を「Ｔ３」とする。素体２における外層寸法Ｔ３の部分は、複数の誘電体層６が積層されて構成されている。素体２の主面２ｄを構成する誘電体層６の最下層と、最下部に配置された内部電極７との間の外層寸法（第５寸法）を「Ｔ４」とする。素体２における外層寸法Ｔ４の部分は、複数の誘電体層６が積層されて構成されている。
【００３０】
このような構成において、積層コンデンサ１の素体２では、内層寸法Ｔ２と外層寸法Ｔ３及び外層寸法Ｔ４とが以下の関係を満たしている。
Ｔ２≒Ｔ３，Ｔ４  …（２）
すなわち、内層寸法Ｔ２と外層寸法Ｔ３，Ｔ４とは略同等であり、内層の厚みと、それを挟む一対の外層の厚みとは略同等である。なお、ここで言う略同等とは、例えば２μｍ程度の誤差を含む。
【００３１】
また、積層コンデンサ１では、高さ寸法Ｔと外層寸法Ｔ３及び外層寸法Ｔ４とが以下の関係を満たしている。
Ｔ３，Ｔ４≧１／５Ｔ  …（３）
すなわち、外層寸法Ｔ３及び外層寸法Ｔ４は、積層コンデンサ１の高さ寸法Ｔの１／５以上に設定されている。
【００３２】
また、積層コンデンサ１において、第１部分１０は、長方形状部分と湾曲形状部分とを有しており、長方形状部分と湾曲形状部分とは、一体に形成されている。第１部分１０では、積層方向から見て、湾曲形状部分が長方形状部分よりも第１及び第２主面２ｃ，２ｄの長辺方向での内側に位置している。湾曲形状部分の内縁は、所定の曲率半径を有しており、素体２の積層方向から見て、円弧状を呈している。すなわち、湾曲形状部分は、長方形状部分から第１及び第２主面２ｃ，２ｄの長辺方向での内側に突起状には形成されない。これにより、第１部分１０の面積が確保されている。
【００３３】
外部電極３の第１部分１０では、第１及び第２主面２ｃ，２ｄを覆う部分の大きさ、すなわち、第１部分１０が第１及び第２主面２ｃ，２ｄを覆う部分における内縁の先端１０ａと、この第１部分１０と連続する第３部分１４の外表面の寸法を「Ｂ１（以下、Ｂ１寸法（第１寸法）と称する）」とする。
【００３４】
外部電極４の第１部分１０では、第１及び第２主面２ｃ，２ｄを覆う部分の大きさ、すなわち、第１部分１０が第１及び第２主面２ｃ，２ｄを覆う部分における内縁の先端１０ａと、この第１部分１０と連続する第３部分１４の外表面との間の寸法を「Ｂ１（以下、Ｂ１寸法（第１寸法）と称する）」とする。
【００３５】
Ｂ１寸法は、積層コンデンサ１の長さ寸法Ｌの１／４以上（Ｂ１≧１／４Ｌ）であり、例えば、２５０μｍ〜４２５μｍの範囲に設定されており、好ましくは３００μｍ〜４００μｍである。また、第１及び第２主面２ｃ，２ｄにおいて対向する第１部分１０の先端１０ａ，１０ａの間の寸法を「Ｇ（以下、Ｇ寸法と称する）」とする。
【００３６】
第２部分１２は、長方形状部分と湾曲形状部分とを有しており、長方形状部分と湾曲形状部分とは、一体に形成されている。第２部分１２では、第１及び第２側面２ｅ，２ｆの対向方向から見て、湾曲形状部分が長方形状部分よりも第１及び第２側面２ｅ，２ｆの長辺方向での内側に位置している。湾曲形状部分の内縁は、所定の曲率半径を有しており、第１及び第２側面２ｅ，２ｆの対向方向から見て、円弧状を呈している。すなわち、湾曲形状部分は、長方形状部分から第１及び第２側面２ｅ，２ｆの長辺方向での内側に突起状には形成されない。これにより、第２部分１２の面積が確保されている。
【００３７】
外部電極３の第２部分１２では、第１及び第２側面２ｅ，２ｆを覆う部分の大きさ、すなわち、第２部分１２が第１及び第２側面２ｅ，２ｆを覆う部分おける内縁の先端１２ａと、この第２部分１２と連続する第３部分１４の外表面との間の寸法を「Ｂ２（以下、Ｂ２寸法（第２寸法）と称する）」とする。
【００３８】
外部電極４の第２部分１２では、第１及び第２側面２ｅ，２ｆを覆う部分の大きさ、すなわち、第２部分１２が第１及び第２側面２ｅ，２ｆを覆う部分おける内縁の先端１２ａと、この第２部分１２と連続する第３部分１４の外表面との間の寸法を「Ｂ２（以下、Ｂ２寸法（第２寸法）と称する）」とする。
【００３９】
積層コンデンサ１では、第１部分１０のＢ１寸法、第２部分のＢ２寸法及び積層コンデンサ１の高さ寸法Ｔが以下の関係を満たしている。
Ｂ１＞Ｔ，Ｂ１＞Ｂ２  …（４）
すなわち、積層コンデンサ１では、外部電極３，４の第１部分１０のＢ１寸法は、積層コンデンサ１の高さ寸法Ｔよりも大きく、且つ、第２部分１２のＢ２寸法よりも大きい。つまり、Ｂ２寸法は、２５０μｍ未満に設定される。
【００４０】
また、積層コンデンサ１では、高さ寸法Ｔ、幅寸法Ｗ及びＧ寸法が以下の関係を満たしている。
Ｔ≦Ｇ＜Ｗ  …（５）
すなわち、主面２ｃ，２ｄの長辺方向において対向して配置された第１部分１０，１０の先端１０ａ，１０ａの間のＧ寸法は、積層コンデンサ１の高さ寸法Ｔ以上であり、且つ、積層コンデンサ１の幅寸法Ｗ未満とされている。
【００４１】
以上説明したように、本実施形態の積層コンデンサ１では、外部電極３，４の第１部分１０のＢ１寸法は、高さ寸法Ｔよりも大きく、且つ、第２部分１２のＢ２寸法よりも大きい（Ｂ１＞Ｔ，Ｂ１＞Ｂ２）。このように、第１部分１０のＢ１寸法を大きくすると、外部電極３，４が素体２の第１及び第２主面２ｃ，２ｄを覆う面積を確保できる。これにより、第１部分１０によって強度（剛性）を確保でき、割れや欠けなどの構造欠陥を抑制できる。
【００４２】
一方で、第２部分１２のＢ２寸法を第１部分１０のＢ１寸法よりも小さくすることにより、第１及び第２側面２ｅ，２ｆの対向方向から見て、第２部分１２と内部電極７，８とが対向する面積を小さくできる。これにより、外部電極３，４の第２部分１２と内部電極７，８との間で浮遊容量が発生することを抑制でき、その結果、積層コンデンサ１における静電容量のばらつきを低減できる。
【００４３】
また、第１部分１０のＢ１寸法は、積層コンデンサ１の長さ寸法Ｌの１／４以上であり、２５０μｍ〜４２５μｍである。このように、第１部分１０のＢ１寸法を２５０μｍ以上とすることにより、第１部分１０の面積を良好に確保できるため割れや欠けなどといった構造欠陥を抑制できる。また、第１部分１０のＢ１寸法を４２５μｍ以下とすることにより、第１及び第２主面２ｃ，２ｄに対向して配置された第１部分１０，１０の間で発生し得るショート不良を防止できる。
【００４４】
また、積層コンデンサ１の素体２において、内層寸法Ｔ２は、外層寸法Ｔ３及び外層寸法Ｔ４と略同等である。このように、外層寸法Ｔ３及び外層寸法Ｔ４の厚みを確保することにより、素体２の強度を確保できる。また、第１部分１０から内部電極７，８までの間の寸法が確保されるため、第１部分１０と内部電極７，８との間で発生する浮遊容量を抑制できる。その結果、積層コンデンサ１において、静電容量のばらつきを低減できる。
【００４５】
本発明は、上記実施形態に限定されるものではない。例えば、上記実施形態では、積層コンデンサ１の高さ寸法Ｔの小さい、いわゆる低背型の積層コンデンサを一例に説明したが、積層コンデンサ（素体２）は他の形状であってもよい。
【００４６】
また、上記実施形態では、外部電極３，４において、第１部分１０及び第２部分１２が湾曲形状部分を有する形状を一例に説明したが、外部電極３，４はその他の形状であってもよい。例えば、外部電極３，４の第１部分１０の内縁は、第１及び第２側面２ｅ，２ｆの対向方向に沿って直線状であってもよく、第２部分１２の内縁は、第１及び第２主面２ｃ，２ｄの対向方向に沿って直線状であってもよい。
【００４７】
また、上記実施形態に加えて、積層コンデンサは図６に示す構成であってもよい。図６は、他の形態に係る積層コンデンサを示す図である。図６に示すように、積層コンデンサ１Ａでは、外部電極３，４の第２部分１２は、一対の側面２ｅ，２ｆの対向方向から見て、異なる極性に接続される内部電極７，８と対向しないように設けられている。すなわち、外部電極３の第２部分１２は、外部電極４に接続される内部電極８と対向しないように形成されており、外部電極４の第２部分１２は、外部電極３に接続される内部電極７と対向しないように形成されている。つまり、外部電極３，４における第２部分１２は、内部電極７，８の先端と一対の側面２ｅ，２ｆの対向方向で重ならない。
【００４８】
このような構成により、積層コンデンサ１Ａでは、第２部分１２と内部電極７，８との間に発生する浮遊容量をより一層抑制でき、静電容量のばらつきをより一層低減できる。
【符号の説明】
【００４９】
１，１Ａ…積層コンデンサ、２…素体、２ａ，２ｂ…第１及び第２端面、２ｃ，２ｄ…第１及び第２主面、２ｅ，２ｆ…第１及び第２側面、３，４…外部電極、６…誘電体層、７，８…内部電極、１０…第１部分、１０ａ…先端、１２…第２部分、１２ａ…先端、１４…第３部分。
【図１】
0005929279.tif 000002
【図２】
0005929279.tif 000003
【図３】
0005929279.tif 000004
【図４】
0005929279.tif 000005
【図５】
0005929279.tif 000006
【図６】
0005929279.tif 000007